(57)【要約】【課題】空白時間に基づいて混在データを自動的に分割することができる分割システムを提供する。【解決手段】分割システム１００において、利用者は、電子ペン１０より電子ペン用帳票３に記入を行う。サーバ５は、電子ペン１０から記入情報を取得し、当該記入情報に含まれる時間情報に基づいて空白時間を特定する。記入情報に空白時間が含まれる場合、サーバ５は、当該記入情報を混在データとみなし、当該空白時間に基づいて分割を行う。サーバ５は、分割後の記入情報をそれぞれ１つのデータと特定する。一方、記入情報に空白時間が含まれないと判定した場合、サーバ５は、当該記入情報を１つのデータと特定する。このように、空白時間に基づいて自動的に混在データの分割を行い、１つのデータを特定することで、その後適切に所定の処理を行うことが可能となる。【選択図】図１２
2007188167.tif 000002
【特許請求の範囲】
【請求項１】
電子ペンにより認識可能なドットパターンが印刷された電子ペン用帳票に記入された情報を処理する処理装置において、
前記電子ペン用帳票に記入された記入情報を取得する記入情報取得手段と、
前記記入情報に含まれる記入時刻に基づいて、所定時間以上の空白時間を特定する空白時間特定手段と、
前記空白時間特定手段が空白時間を特定できたか否かを判定する空白有無判定手段と、
前記空白有無判定手段が空白時間が特定できないと判定した場合に、前記記入情報取得手段が取得した記入情報を１つのデータと特定する第一データ特定手段と、
前記空白有無判定手段が空白時間が特定できたと判定した場合に、前記空白時間に基づいて前記記入情報を分割する分割手段と、
前記分割手段が分割した記入情報をそれぞれ１つのデータと特定する第ニデータ特定手段と、を備えることを特徴とする処理装置。
【請求項２】
前記電子ペン用帳票は、１つのデータの開始を示す開始区切記号を認識するための開始区切項目と、１つのデータの終了を示す終了区切記号を認識するための終了区切項目とを有しており、
前記処理装置は、
前記開始区切項目及び前記終了区切項目を識別する項目識別情報と、前記開始区切項目及び前記終了区切項目にそれぞれ印刷されたドットパターン上の位置座標とが対応付けされた情報を座標情報として記憶する座標情報記憶手段と、
前記記入情報に基づいて前記座標情報を参照し、前記開始区切項目にストロークが記入されている場合、開始区切記号を特定する開始区切記号特定手段と、
前記記入情報に基づいて前記座標情報を参照し、前記終了区切項目にストロークが記入されている場合、終了区切記号を特定する終了区切記号特定手段と、をさらに備え、
前記分割手段は、前記空白有無判定手段が空白時間が特定できたと判定した場合に、前記空白時間と、特定することができた開始区切記号及び終了区切記号とに基づいて前記記入情報を分割することを特徴とする請求項１に記載の処理装置。
【請求項３】
複数の前記電子ペン用帳票には、同一のドットパターンが印刷されており、
前記記入情報は、複数の前記電子ペン用帳票に記入された記入情報を含んでいることを特徴とする請求項１又は２に記載の処理装置。
【請求項４】
電子ペンにより認識可能なドットパターンが印刷された電子ペン用帳票に記入された情報を処理するコンピュータにより実行されるプログラムにおいて、
前記電子ペン用帳票に記入された記入情報を取得する記入情報取得手段、
前記記入情報に含まれる記入時刻に基づいて、所定時間以上の空白時間を特定する空白時間特定手段、
前記空白時間特定手段が空白時間を特定できたか否かを判定する空白有無判定手段、
前記空白有無判定手段が空白時間が特定できないと判定した場合に、前記記入情報取得手段が取得した記入情報を１つのデータと特定する第一データ特定手段、
前記空白有無判定手段が空白時間が特定できたと判定した場合に、前記空白時間に基づいて前記記入情報を分割する分割手段、
前記分割手段が分割した記入情報をそれぞれ１つのデータと特定する第ニデータ特定手段、として前記コンピュータを機能させることを特徴とするプログラム。
【請求項５】
前記電子ペン用帳票は、１つのデータの開始を示す開始区切記号を認識するための開始区切項目と、１つのデータの終了を示す終了区切記号を認識するための終了区切項目とを有しており、
プログラムは、
前記開始区切項目及び前記終了区切項目を識別する項目識別情報と、前記開始区切項目及び前記終了区切項目にそれぞれ印刷されたドットパターン上の位置座標とが対応付けされた情報を座標情報として記憶する座標情報記憶手段、
前記記入情報に基づいて前記座標情報を参照し、前記開始区切項目にストロークが記入されている場合、開始区切記号を特定する開始区切記号特定手段、
前記記入情報に基づいて前記座標情報を参照し、前記終了区切項目にストロークが記入されている場合、終了区切記号を特定する終了区切記号特定手段、としてさらに前記コンピュータを機能させ、
前記分割手段は、前記空白有無判定手段が空白時間が特定できたと判定した場合に、前記空白時間と、特定することができた開始区切記号及び終了区切記号とに基づいて前記記入情報を分割することを特徴とする請求項４に記載のプログラム。
【請求項６】
複数の前記電子ペン用帳票には、同一のドットパターンが印刷されており、
前記記入情報は、複数の前記電子ペン用帳票に記入された記入情報を含んでいることを特徴とする請求項４又は５に記載のプログラム。
【発明の詳細な説明】
【技術分野】
【０００１】
本発明は、電子ペン用帳票に記入された情報を処理するための技術に関する。
【背景技術】
【０００２】
近年、「電子ペン」、「デジタルペン」などと呼ばれるペン型入力デバイスが登場しており（以下、本明細書では「電子ペン」と呼ぶ。）、その代表的なものとしてスウェーデンのAnoto社が開発した「アノトペン（Anoto pen）」が知られている。アノトペンは、所定のドットパターンが印刷された専用紙（以下、「専用ペーパー」と呼ぶ。）とペアで使用される。アノトペンは、通常のインクタイプのペン先部に加えて、専用紙上のドットパターンを読み取るための小型カメラと、データ通信ユニットを搭載している。利用者が専用紙上にアノトペンで文字などを書いたり、専用紙上に図案化されている画像をチェックしたりすると、ペンの移動に伴って小型カメラが専用紙上のドットパターンを検出し、利用者が書き込んだ文字、画像などの記入情報（「ストロークデータ」ともいう）が取得される。この記入情報が、データ通信ユニットによりアノトペンから近くのパーソナルコンピュータや携帯電話などの端末装置に送信される。このアノトペンを利用したシステムは、キーボードに代わる入力デバイスとして利用することが可能であり、上述のパーソナルコンピュータやキーボードの使用に抵抗がある利用者にとっては非常に使いやすい。そのため、現在、各種ビジネス上の書類、申込書、契約書等に記入されたデータをデジタル化する手法として、電子ペンを利用したシステムが普及しつつある（例えば、特許文献１）。
【０００３】
上記のようなシステムにおいて、利用者は電子ペンを使用して所定の書類を作成し、記入内容に対応する記入情報を、ネットワークを通じて当該電子ペン近くの端末装置を介して所定のサーバに送信することができる。このとき、同一ドットパターンが印刷された複数の書類（専用ペーパー）に記載した記入情報は、誤って混在データとして送信される可能性がある。換言すると、同一ドットパターンが印刷された専用ペーパー上に電子ペンを使用して記入した記入情報は混同するおそれがある。
【０００４】
このような問題を解消するため、従来、利用者は同一ドットパターンが印刷された各専用ペーパーに記入をする際、「データ区切項目」や「送信ボックス」など、一定の繋がりがある１かたまりのデータであることを示す区切記号を認識するための項目にストロークを記入しなければならなかった。しかし、区切記号を認識するための項目にストロークを記入するといったアクションルールを利用者に強いることは非常に難しく、しばしばチェック忘れによる混在データの送信が発生していた。
【０００５】
【特許文献１】特開２００４−１５３６１２号公報
【発明の開示】
【発明が解決しようとする課題】
【０００６】
本発明は、以上の点に鑑みてなされたものであり、混在データを自動的に分割することができる分割システムを提供することを課題とする。
【課題を解決するための手段】
【０００７】
本発明の１つの観点では、電子ペンにより認識可能なドットパターンが印刷された電子ペン用帳票に記入された情報を処理する処理装置において、前記電子ペン用帳票に記入された記入情報を取得する記入情報取得手段と、前記記入情報に含まれる記入時刻に基づいて、所定時間以上の空白時間を特定する空白時間特定手段と、前記空白時間特定手段が空白時間を特定できたか否かを判定する空白有無判定手段と、前記空白有無判定手段が空白時間が特定できないと判定した場合に、前記記入情報取得手段が取得した記入情報を１つのデータと特定する第一データ特定手段と、前記空白有無判定手段が空白時間が特定できたと判定した場合に、前記空白時間に基づいて前記記入情報を分割する分割手段と、前記分割手段が分割した記入情報をそれぞれ１つのデータと特定する第ニデータ特定手段と、を備える。
【０００８】
上記のように構成された処理装置において、利用者は、電子ペンのインクペンユニットにより電子ペン用帳票に所定の内容を記入する。すると、電子ペンは電子ペンの移動に伴って帳票上のドットパターンを読み取り、利用者が記入した記入内容に関するストロークデータや座標データを取得する。そして、利用者が電子ペンのインクペンユニットにより送信アクションが定義されたエリアにチェックマーク等を記入することで、電子ペンは取得したストロークデータや座標データを記入情報として処理装置に送信する。ここで、記入情報には、ストロークデータや座標データの他に、記入時刻に関する時間情報が含まれるものとする。処理装置は、電子ペンから取得した記入情報に含まれる時間情報に基づいて、当該記入情報内における所定時間以上の空白時間を特定する。所定時間以上の空白時間とは、数秒であってもよいし、数時間であってもよい。即ち、任意に設定することが可能な時間である。さらに、処理装置は、記入情報内の空白時間の特定ができたか否か、即ち、記入情報に空白時間が含まれるか否かを判定する。記入情報に空白時間が含まれると判定した場合、処理装置は、当該記入情報を混在データとみなし、当該空白時間に基づいて分割を行う。処理装置は、分割後の記入情報をそれぞれ１つのデータ、即ち、一定の繋がりがある１かたまりのデータであると特定する。一定の繋がりがある１かたまりのデータとは、例えば１人分のデータであったり、１枚目の帳票に記入されたデータであったりする。一方、記入情報に空白時間が含まれないと判定した場合、処理装置は、記入情報を混在データではないとして、当該記入情報を１つのデータであると特定する。このように、空白時間に基づいて自動的に混在データの分割を行い、１つのデータを特定することで、その後適切に所定の処理を行うことが可能となる。
【０００９】
上記処理装置の一態様では、前記電子ペン用帳票は、１つのデータの開始を示す開始区切記号を認識するための開始区切項目と、１つのデータの終了を示す終了区切記号を認識するための終了区切項目とを有しており、前記処理装置は、前記開始区切項目及び前記終了区切項目を識別する項目識別情報と、前記開始区切項目及び前記終了区切項目にそれぞれ印刷されたドットパターン上の位置座標とが対応付けされた情報を座標情報として記憶する座標情報記憶手段と、前記記入情報に基づいて前記座標情報を参照し、前記開始区切項目にストロークが記入されている場合、開始区切記号を特定する開始区切記号特定手段と、前記記入情報に基づいて前記座標情報を参照し、前記終了区切項目にストロークが記入されている場合、終了区切記号を特定する終了区切記号特定手段と、をさらに備え、前記分割手段は、前記空白有無判定手段が空白時間が特定できたと判定した場合に、前記空白時間と、特定することができた開始区切記号及び終了区切記号とに基づいて前記記入情報を分割する。
【００１０】
上記のように構成された処理装置において、電子ペン用帳票は、開始区切項目及び終了区切項目を有している。そのため、利用者には、記入を開始する際に開始区切項目にチェックマーク等を記入し、記入を終了する際に終了区切項目にチェックマーク等を記入することがアクションルールとして伝えられている。なお、処理装置は、予め座標情報を記憶している。
【００１１】
処理装置は、記入情報に基づいて座標情報を参照することにより、利用者がチェックした開始区切項目及び／又は終了区切項目を特定する。つまり、記入情報に含まれる開始区切記号及び／又は終了区切記号を特定する。そして、処理装置は、記入情報に空白時間が含まれると判定した場合、当該記入情報を混在データとみなし、特定した空白時間と、特定できた開始区切記号及び終了区切記号に基づいて分割を行う。ここで、特定できた開始区切記号及び終了区切記号とは、利用者がチェックを忘れなかった場合に特定可能な記号である。そのため、特定できた開始区切記号及び終了区切記号が１つも存在しない場合もあるし、複数存在する場合もある。処理装置は、分割後の記入情報をそれぞれ１つのデータ、即ち、一定の繋がりがある１かたまりのデータであると特定する。これによれば、開始区切項目及び／又は終了区切項目へのチェック忘れにより複数のデータが混在した場合であっても、空白時間に基づいて混在データを分割することで適切に１つのデータを特定することができる。
【００１２】
上記処理装置の他の一態様では、複数の前記電子ペン用帳票には、同一のドットパターンが印刷されており、前記記入情報は、複数の前記電子ペン用帳票に記入された記入情報を含んでいる。これによれば、１本の電子ペンで同一のドットパターンが印刷された複数の帳票に記入した場合であっても、空白時間に基づいて適切に分割し、１つのデータを特定することが可能となる。
【００１３】
本発明の別の観点では、電子ペンにより認識可能なドットパターンが印刷された電子ペン用帳票に記入された情報を処理するコンピュータにより実行されるプログラムにおいて、前記電子ペン用帳票に記入された記入情報を取得する記入情報取得手段、前記記入情報に含まれる記入時刻に基づいて、所定時間以上の空白時間を特定する空白時間特定手段、前記空白時間特定手段が空白時間を特定できたか否かを判定する空白有無判定手段、前記空白有無判定手段が空白時間が特定できないと判定した場合に、前記記入情報取得手段が取得した記入情報を１つのデータと特定する第一データ特定手段、前記空白有無判定手段が空白時間が特定できたと判定した場合に、前記空白時間に基づいて前記記入情報を分割する分割手段、前記分割手段が分割した記入情報をそれぞれ１つのデータと特定する第ニデータ特定手段、として前記コンピュータを機能させる。
【００１４】
上記プログラムをコンピュータにより実行することにより、上述の処理装置を実現することができる。また、上述の処理装置の各態様も同様に実現することができる。
【発明の効果】
【００１５】
本発明によれば、空白時間に基づいて混在データを自動的に分割することができる。
【発明を実施するための最良の形態】
【００１６】
以下、図面を参照して本発明の好適な実施の形態について説明する。まず、本発明のシステムにおいて入力デバイスとして使用される電子ペンの概要について説明する。
【００１７】
［電子ペン］
図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００１８】
図２に示すように、電子ペン１０は、その内部にプロセッサ１１、メモリ１２、データ通信ユニット１３、バッテリー１４、ＬＥＤ１５、カメラ１６及び圧力センサ１８を備える。また、電子ペン１０は通常のインクペンと同様の構成要素としてインクカートリッジ（図示せず）などを有する。
【００１９】
電子ペン１０は、ペン先部１７により専用ペーパー２０上に描かれたインクの軌跡をデータ化するのではなく、専用ペーパー２０上で電子ペン１０が移動した軌跡座標をデータ化する。ＬＥＤ１５が専用ペーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークを画像データ又はベクトルデータとして取得することができる。
【００２０】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、ＬＥＤ１５及びカメラ１６を作動する。
【００２１】
カメラ１６は専用ペーパー２０上のドットパターンを読み取り、そのパターンデータをプロセッサ１１に供給する。プロセッサ１１は、供給されたドットパターンから、専用ペーパー２０上でのＸ／Ｙ座標を算出する。
【００２２】
プロセッサ１１は、利用者の記述が行われる間に、筆圧の配列データ及びＸ／Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。ここで、時間情報とは、電子ペン１０により記入された記入時刻に関する情報である。そのため、時間情報を分析することで、記入情報に含まれる所定時間以上の空白時間を特定することが可能である。
【００２３】
利用者により送信指示がなされるまでは、取得された全てのデータはメモリ１２内に保持される。そして、利用者が送信指示を行うと、データ通信ユニット１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００２４】
電子ペン１０自体は、送信ボタンなどの機能ボタンを備えておらず、送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、データ通信ユニット１３にメモリ１２内のデータを供給し、端末装置２５への送信を行わせる。なお、電子ペン１０は、データの送信完了を電子ペンの振動により示すことができる。
【００２５】
バッテリー１４は電子ペン１０内の各要素に電源供給するためのものであり、例えば電子ペンのキャップ（図示せず）により電子ペン１０自体の電源のオン／オフを行うことができる。
【００２６】
このように、電子ペン１０は利用者が専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００２７】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。
【００２８】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、emailアドレス、空きメモリ容量、名称、住所、ファックス／電話番号、携帯電話番号などを保持することができる。
【００２９】
なお、上記の例におけるデータ通信ユニット１３では、Bluetooth（登録商標）の無線伝送、ＵＳＢケーブルを使用した有線伝送、端子などの接触によるデータ伝送など、各種の方法によって電子ペン１０から端末装置２５へのデータ送信を行うことが考えられる。
【００３０】
次に、電子ペンにより利用者が記述した内容のＸ／Ｙ座標データを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、ＬＥＤ１５による照明エリア及びカメラ１６の撮影エリア（照明エリア内に位置する）は、ペン先部１７が専用ペーパー２０に接触する位置とはずれている。
【００３１】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申込書などの帳票を作成する際は、専用インキ以外のインキで入力枠や罫線、注意書きなどを印刷する。
【００３２】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組合せにより、専用ペーパー上の位置座標が決定される。図４（ａ）に例示するように、縦横２mmの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２mm×２mmであり、カメラ１６は毎秒１００回程度の撮影を行う。
【００３３】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００３４】
図案３４の例を図６に示す。図６は、ある申込書３６の例であり、複数の記入欄３８や送信ボックス３９が印刷されている。図６には明確に図示されておらず、詳細は後述するが、実際にはドットパターンが申込書３６の全面に印刷されており、その上に記入欄３８や送信ボックス３９が通常のインキにより印刷されている。利用者は、ドットパターンを意識することなく、従来からある申込書と同様に、電子ペン１０を使用して必要事項を申込書３６の各記入欄３８に記入すればよい。
【００３５】
専用ペーパー２０上のエリアは大きく２種類のエリアに分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００３６】
送信ボックス３９は前述したように電子ペン１０内に記憶されているデータを近傍の端末装置２５へ送信するための指示を行う際に使用される。利用者が送信ボックス３９内に電子ペン１０でチェックを入れると、電子ペン１０が送信ボックス内のドットパターンを読み取る。当該パターンは送信指示に対応付けられており、電子ペン１０内のプロセッサ１１はデータ通信ユニット１３にメモリ１２内の記憶データの送信命令を発する。
【００３７】
ドットパターンの割り当ては、通常、アプリケーション（用紙の種類）毎に行われる。即ち、ある申込書内のドットパターンは１枚の用紙の中で重複することはないが、同一の申込書には全て同じドットパターンが印刷されている。よって、利用者が電子ペン１０で必要事項を入力すると、その入力事項がその申込書のどの項目に対するものであるかを、申込書上の座標データから特定することができる。
【００３８】
このように、ドットパターンを印刷した専用ペーパー上に所定の図案を印刷することにより、専用ペーパーを利用した各種申込書が作成できる。利用者は電子ペン１０を使用して通常の要領で必要事項を記入すれば、その電子データが自動的に取得される。
【００３９】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。
【００４０】
なお、本明細書においては、「印刷」の語は、通常の印刷のみならず、プリンタによるプリントも含む概念とする。
【００４１】
次に、電子ペンにより取得したデータの送信処理について図２を参照して説明する。電子ペン１０が取得したデータは、主として利用者が入力した事項のデータであるが、通常はそのデータの送信先であるサービスサーバがどこであるかの情報は含まれていない。その代わりに、その専用ペーパーに関するアプリケーションやサービスを特定する情報が専用ペーパー上のドットパターンに含まれており、利用者の入力作業中に専用ペーパーからその情報が取得されている。よって、電子ペン１０から記入情報を受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した記入情報をそのサービスサーバ２７へ送信することになる。
【００４２】
なお、上記の例では端末装置２５、問い合わせサーバ２６及びサービスサーバ２７が別個に構成されているが、これらの幾つか又は全てを１つの装置として構成することも可能である。本実施形態において後述するサーバは、問い合わせサーバ２６及びサービスサーバ２７を兼ねていることとしている。また、本実施形態では、記入情報には、ストロークデータ、時間情報及びペンＩＤが含まれているものとする。
【００４３】
[分割システム]
次に、本発明の分割システムについて説明する。図７に分割システム１００の概略構成を示す。図７に示す分割システム１００は、電子ペン１０により電子ペン用帳票（以下、「帳票」と呼ぶ。）３に記入された記入情報から、１枚の帳票３に記入された１かたまりのデータを特定するシステムである。具体的に、分割システム１００は、記入情報に複数のデータが混在している場合、当該記入情報を分割することで、１かたまりのデータをそれぞれ特定する。
【００４４】
ここで、１かたまりのデータとは、一定の繋がりがあるデータのことである。なお、本実施形態では、１枚の帳票３には、１人分の氏名及び住所が電子ペン１０により記入され、１人分の氏名及び住所の情報を１かたまりのデータ（以下、「１つのデータ」と呼ぶ。）とする。詳細は後述するが、帳票３には、全て同じドットパターンが印刷されているため、データが混在するおそれがあるものとする。
【００４５】
図７に示すように、分割システム１００は、端末装置２５及びサーバ５がネットワークを通じて接続されることにより構成される。ここで、ネットワーク２の１つの好適な例はインターネットである。また、端末装置２５とは、利用者が使用するパーソナルコンピュータ（以下、「ＰＣ」と呼ぶ。）や携帯電話といったネットワークを介してデータの授受が可能な端末である。
【００４６】
ここで、１つのデータを特定する従来の方法について、図８乃至図１０を参照して説明する。図８及び図９は、１つのデータを特定する従来の方法を説明する図である。また、図１０は、従来の方法により発生する混在データを説明する図である。
【００４７】
従来の帳票３には、図８（ａ）に示すように、１つのデータの開始を示す開始区切記号を認識するための開始区切項目５１と、１つのデータの終了を示す終了区切記号を認識するための終了区切項目５２とが設けられている。本実施形態では、終了区切項目５２が、上述の送信ボックスを兼ねているものとする。つまり、終了区切項目５２にチェックマークを記入することで、記入情報に１つのデータの終了を示す終了区切記号が含まれると同時に、当該記入情報が端末装置２５を介してサーバ５へ送信される。
【００４８】
なお、帳票３は、同一のドットパターンが印刷された複数枚の帳票から構成されているものとする。
【００４９】
１人目の利用者は、電子ペン１０を使用して、１枚目の帳票３に記入を行う。このとき、利用者は、まず開始区切項目５１にレ点等のチェックマークを記入する。次に、利用者は、電子ペン１０を使用して図示のように自身の氏名及び住所、即ち、山田太郎の氏名及び住所を記入する。そして、氏名及び住所の記入が完了すると、最後に利用者は、電子ペン１０を使用して終了区切項目５２にチェックマークを記入する。終了区切項目５２は、送信ボックスを兼ねているため、電子ペン１０に記憶された山田太郎の氏名及び住所に関するデータは、記入情報としてサーバへ送信される。
【００５０】
２人目の利用者は、電子ペン１０を使用して、２枚目の帳票３への記入を行う。上述のとおり、１枚目と２枚目の帳票３に印刷されたドットパターンは同一である。このとき、利用者は、１枚目と同様に、開始区切項目５１にチェックマークを記入する。次に、利用者は、電子ペン１０を使用して図示のように自身の氏名及び住所、即ち、田中花子の氏名及び住所を記入する。そして、氏名及び住所の記入が完了すると、最後の利用者は、電子ペン１０を使用して終了区切項目５２にチェックマークを記入する。終了区切項目５２は、送信ボックスを兼ねているため、電子ペン１０に記憶された田中花子の氏名及び住所に関するデータは、記入情報としてサーバへ送信される。
【００５１】
このように、同一のドットパターンが印刷された帳票３に所定の内容を記入した場合であっても、各利用者が開始区切項目５１及び終了区切項目５２にそれぞれチェックを行うことで、図８（ｂ）に示すように、サーバ５は、山田太郎のデータと田中花子のデータを別々に受信することができる。換言すると、電子ペン１０は、山田太郎のデータと田中花子のデータを混同することなく別々に送信することができる。このとき、図示のように、１枚目のデータは、開始区切項目５１へのチェックにより認識した開始区切記号と、山田太郎の氏名及び住所に関するデータと、終了区切項目５２へのチェックにより認識した終了区切記号とから構成されている。同様に、２枚目のデータは、開始区切記号と、田中花子の氏名及び住所に関するデータと、終了区切記号とから構成されている。
【００５２】
このことから、サーバ５は、受信した１枚目のデータと２枚目のデータをそれぞれ１つのデータとして容易に特定することができる。換言すると、サーバ５は、図８（ｃ）に示すように、山田太郎の氏名及び住所に関する１枚目のデータと、田中花子の氏名及び住所に関する２枚目のデータとを混同することなく所定の処理を行うことが可能となる。
【００５３】
しかし、帳票３に記入をする際に、開始区切項目５１及び送信区切項目５２にチェックを行うというアクションルールを利用者に徹底することは非常に難しい。そのため、しばしばチェック忘れが生じていた。例えば、１人目の利用者が１枚目の帳票３に記入を行った際、開始区切項目５１及び終了区切項目５２双方のチェックを忘れてしまうことが考えられる。
【００５４】
まず、図９（ａ）に示すように、２人目の利用者が２枚目の帳票３に記入を行う際、開始区切項目５１及び終了区切項目５２双方のチェックを行っていた場合について説明する。この場合、電子ペン１０は、２枚目の終了区切項目５２にチェックマークが記入されたタイミングで初めて、記入情報を端末装置２５へ送信する。そのため、サーバ５は、図９（ｂ）に示すように、山田太郎のデータ及び田中花子のデータの双方を含む記入情報を取得する。換言すると、１枚目のデータと２枚目のデータが混在した状態の混在データを記入情報として取得する。
【００５５】
しかし、２人目の利用者が、２枚目の帳票３の開始区切項目５１及び終了区切項目５２の双方にチェックをしているため、図９（ｂ）に示すように、混在データには開始区切記号及び終了区切記号が含まれている。この場合、サーバ５は、開始区切記号に基づいて、破線より左の部分を１枚目のデータ、破線より右の部分を２枚目のデータと分割することができる。つまり、サーバ５は、開始区切記号に基づいて混在データである記入情報を分割することで、１枚目のデータと２枚目のデータをそれぞれ１つのデータとして特定することが可能となる。換言すると、サーバ５は、図９（ｃ）に示すように、山田太郎の氏名及び住所に関する１枚目のデータと、田中花子の氏名及び住所に関する２枚目のデータとを混同することなく所定の処理を行うことが可能となる。
【００５６】
次に、図１０（ａ）に示すように、２人目の利用者が２枚目の帳票３に記入を行う際、開始区切項目５１のチェックを忘れた場合について説明する。この場合、電子ペン１０は、２枚目の終了区切項目５２にチェックマークが記入されたタイミングで初めて、記入情報を端末装置２５へ送信する。そのため、サーバ５は、図１０（ｂ）に示すように、山田太郎のデータ及び田中花子のデータの双方を含む記入情報を取得する。換言すると、１枚目のデータと２枚目のデータが混在した状態の混在データを記入情報として取得する。
【００５７】
図１０の例は、図９の例と異なり、２人目の利用者が、２枚目の帳票３の開始区切項目５１にチェックすることを忘れているため、図１０（ｂ）に示すように、混在データには開始区切記号が含まれていない。そのため、サーバ５は、混在データを分割することができず、当該混在データを１つのデータと認識してしまう。よって、サーバ５は、図１０（ｃ）に示すように、山田太郎の氏名及び住所に関する１枚目のデータと、田中花子の氏名及び住所に関する２枚目のデータとを混同して所定の処理を行ってしまう。即ち、別々のデータとして処理されるべきものを、重複して取り扱い、誤った処理を行ってしまう。
【００５８】
ここで、空白時間に基づいて分割することで１つのデータを特定する方法について、図１１を参照して説明する。図１１は、混在データの構造を模式的に示す図である。
【００５９】
複数枚の帳票３に電子ペン１０を使用して記入を行った場合、混在データ、即ち記入情報の中に必ず記入が行われていない空白時間が存在する。そのため、サーバ５は、記入情報に含まれる時間情報に基づいて、この空白時間を特定することで、当該記入情報を分割し、１つのデータを特定する。
【００６０】
具体的には、図示のように、所定時間以上の空白時間が含まれる記入情報は混在データであると類推することができる。さらに、特定した空白時間の前後で、異なる帳票３に記入されたデータであると判定することができる。よって、サーバ５は、特定した空白時間に基づいて、混在データである記入情報を分割し、分割したデータをそれぞれ１枚目のデータ及び２枚目のデータであると特定する。換言すると、サーバ５は、空白時間に基づいて混在データを自動的に分割し、１つのデータを特定することができる。
【００６１】
なお、所定時間以上の空白時間の長さは、帳票３の記入内容等に基づき、システムの使用者が任意に設定することが可能である。
【００６２】
[サーバ]
次に、サーバ５について詳しく説明する。図１２は、分割システム１００における、特にサーバ５の内部構成を示す。図示のように、サーバ５は、分割処理プログラム１０１、記入情報取得機能１０２、空白時間特定機能１０３、空白有無判定機能１０４、混在データ分割機能１０５及びデータ特定機能１０６を有する。なお、各機能は、サーバ５が有するＣＰＵが予め用意されたプログラムを実行することにより実現される。
【００６３】
分割処理プログラム１０１は、端末装置２５を介して電子ペン１０から取得した記入情報に、空白時間が含まれているか否かを判定することで、混在データであるか否かを特定するプログラムである。また、分割処理プログラム１０１は、空白時間に基づいて混在データを分割することで、１つのデータを特定するプログラムである。
【００６４】
記入情報取得機能１０２は、分割処理プログラム１０１を実行することにより、利用者が電子ペン１０を使用して帳票３に記入した記入情報を取得する機能である。
【００６５】
空白時間特定機能１０３は、記入情報取得機能１０２が取得した記入情報に含まれる時間情報に基づいて、当該記入情報に含まれる空白時間を特定する機能である。
【００６６】
空白有無判定機能１０４は、空白時間特定機能１０３が、記入情報に含まれる空白時間を特定できたか否かを判定する機能である。空白時間を特定できた場合、サーバ５は、記入情報は混在データであるとして、後述するように記入情報の分割を行う。一方、空白時間を特定できなかった場合、サーバ５は、記入情報は混在データではないとして、後述するように記入情報を１つのデータと特定する。
【００６７】
混在データ分割機能１０５は、空白有無判定機能１０４が空白時間を特定し、記入情報に空白時間が含まれると判定した場合に、当該空白時間に基づいて記入情報を分割する機能である。なお、本実施形態では、便宜上、図１１に示すように、１つの空白時間が含まれる混在データを２つのデータに分割する方法について説明しているが、本発明はこれに限定されるものではなく、２つ以上の空白時間が含まれる混在データにも適用することが可能である。この場合、サーバ５は、１つの混在データを、２つ以上の空白時間それぞれに基づいて、３つ以上のデータに分割することになる。
【００６８】
データ特定機能１０６は、空白有無判定機能１０４が空白時間を特定せず、記入情報に空白時間が含まれないと判定した場合に、記入情報を１つのデータと特定する機能である。また、データ特定機能１０６は、混在データ分割機能１０５が分割したデータをそれぞれ１つのデータと特定する機能である。このように、１つのデータ、即ち、本実施形態における１人分のデータを混在せずに特定することで、当該データを利用して所定の処理を的確に行うことが可能となる。
【００６９】
[分割処理]
次に、上記の分割システム１００により実行される分割処理について、図１３及び図１４を参照して説明する。図１３は、帳票３の例であり、図１４は、分割処理のフローチャートである。
【００７０】
まず、各利用者は、図１３に示すような帳票３に、電子ペン１０を使用して氏名及び住所を記入する。このとき、各利用者はそれぞれ１枚の帳票３に記入を行うものとし、全ての帳票３に印刷されたドットパターンは全て同一であるものとする。また、複数の利用者は、１本の電子ペンを使用して記入を行うものとする。それぞれの帳票３への記入が完了すると、最後の利用者は、電子ペン１０を使用して送信ボックス３９にチェックマークを記入する。これにより、複数の帳票３に記入された記入内容が、端末装置２５を介し、記入情報としてサーバ５へ送信される。
【００７１】
サーバ５は、電子ペン１０から端末装置２５を介して記入情報を取得する（ステップＳ１）。そして、サーバ５は、記入情報に含まれる時間情報に基づいて、当該記入情報に含まれる空白時間を特定する（ステップＳ２）。さらに、サーバ５は、記入情報に含まれる空白時間を特定できたか否か、即ち、記入情報内における空白時間の有無を判定する（ステップＳ３）。空白時間があると判定した場合（ステップＳ３；ＹＥＳ）、記入情報は混在データであるとして、サーバ５は、特定した空白時間に基づいて記入情報を分割する（ステップＳ４）。そして、サーバ５は、記入情報分割後のそれぞれのデータを１つのデータとして特定する（ステップＳ５）。一方、空白時間がないと判定した場合（ステップＳ３；ＮＯ）、記入情報は混在データでないとして、サーバ５は、当該記入情報を１つのデータとして特定する（ステップＳ５）。これにより、分割処理は完了する。
【００７２】
このように、本発明によれば、開始区切項目５１及び終了区切項目５２へのチェックといったアクションルールを利用者に徹底することなく、サーバ５が空白時間に基づいて自動的に記入情報を分割し、１つのデータを特定することができる。よって、利用者や運用者の手間を大幅に削減することができる。
【００７３】
なお、本実施形態では、端末装置２５とサーバ５とは別々であって、ネットワーク２を介して接続されたものとしているが、本発明はこれに限定されるものではなく、それぞれの機能を備えた１つの端末装置であることとしてもよい。
【００７４】
また、本実施形態では、帳票３の１枚目と２枚目に記入を行う利用者を別々の人物としているが、本発明はこれに限定されるものではなく、同一の人物が帳票３の１枚目と２枚目に記入を行うこととしてもよい。さらに、説明の便宜上、同一のドットパターンが印刷された帳票３の１枚目と２枚目に記入を行うこととしているが、本発明はこれに限定されるものではなく、何枚目に記入する場合であっても適用することができる。
【００７５】
[変形例]
上記の実施形態では、図１３に示すように、開始区切項目５１及び終了区切項目５２が設けられていない帳票３に、本発明を適用した場合について説明している。しかし、本発明はこれに限定されるものではなく、図８（ａ）や図９（ａ）に示すような、開始区切項目５１及び終了区切項目５２が設けられている帳票３に適用することも可能である。
【００７６】
開始区切項目５１及び終了区切項目５２が設けられている帳票３に、本発明を適用した場合の分割処理について、図１５を参照して説明する。図１５は、変形例における分割処理のフローチャートである。
【００７７】
なお、この場合、サーバ５は、開始区切項目５１及び終了区切項目５２を識別する項目ＩＤと、各項目に印刷されたドットパターン上の位置座標とを対応付けた座標テーブルを有しているものとする。サーバ５は、記入情報に基づいてこの座標テーブルを参照することで、開始区切項目５１及び／又は終了区切項目５２にチェックマークが記入されたか否かを判定することができる。即ち、記入情報に含まれる開始区切記号及び／又は終了区切記号を容易に特定することができる。
【００７８】
また、開始区切項目５１及び終了区切項目５２へのチェックというアクションルールは予め利用者に伝えてあるが、人為的ミスによりチェックを忘れる利用者もいるものとする。
【００７９】
まず、各利用者は、図８（ａ）や図９（ａ）に示すような帳票３に、電子ペン１０を使用して氏名及び住所を記入する。このとき、利用者はそれぞれ１枚の帳票３に記入を行うものとし、全ての帳票３に印刷されたドットパターンは全て同一であるものとする。また、複数の利用者は、１本の電子ペンを使用して記入を行うものとする。それぞれの帳票３への記入が完了すると、最後の利用者は、電子ペン１０を使用して送信ボックス３９にチェックマークを記入する。これにより、複数の帳票３に記入された記入内容が、端末装置２５を介し、記入情報としてサーバ５へ送信される。
【００８０】
サーバ５は、電子ペン１０から端末装置２５を介して記入情報を取得する（ステップＳ１１）。そして、サーバ５は、記入情報に含まれる時間情報に基づいて、当該記入情報に含まれる空白時間を特定する（ステップＳ１２）。つまり、サーバ５は、利用者による開始区切項目５１及び／又は終了区切項目５２へのチェック忘れがあったか否かに関わらず、記入情報に含まれる空白時間の特定を行う。
【００８１】
また、サーバ５は、座標テーブルを参照することで、記入情報に含まれる開始区切記号を特定する（ステップＳ１３）。同様に、サーバ５は、座標テーブルを参照することで、記入情報に含まれる終了区切記号を特定する（ステップＳ１４）。
【００８２】
さらに、サーバ５は、記入情報に含まれる空白時間を特定できたか否か、即ち、記入情報内における空白時間の有無を判定する（ステップＳ１５）。空白時間があると判定した場合（ステップＳ１５；ＹＥＳ）記入情報は混在データであるとして、サーバ５は、特定した空白時間と、特定することができた開始区切記号及び終了区切記号とに基づいて、記入情報を分割する（ステップＳ１６）。そして、サーバ５は、記入情報分割後のそれぞれのデータを１つのデータとして特定する（ステップＳ１７）。一方、空白時間がないと判定した場合（ステップＳ１５；ＮＯ）、記入情報は混在データでないとして、サーバ５は、当該記入情報を１つのデータとして特定する（ステップＳ１７）。これにより、分割処理は完了する。
【００８３】
このように、本発明によれば、図１０に示すように、開始区切項目５１及び／又は終了区切項目５２へのチェック忘れにより複数のデータが混在した場合であっても、空白時間に基づいて混在データを分割することで適切に１つのデータを特定することができる。具体的に、サーバ５は、原則として、開始区切記号及び終了区切記号に基づいて１つのデータを特定するが、空白時間が存在する場合には、当該空白時間に基づいて分割することで１つのデータを特定する。換言すると、記入ミスによる混在データを、データの受け取り側のプログラムで適切に分割することが可能となる。
【産業上の利用可能性】
【００８４】
本発明によれば、空白時間に基づいて混在データを自動的に分割することができる。
【図面の簡単な説明】
【００８５】
【図１】電子ペンの使用形態を模式的に示す図である。
【図２】電子ペンの構造を示す機能ブロック図である。
【図３】専用ペーパーに印刷されたドットパターンによる情報の表現方法を説明する図である。
【図４】ドットパターン及びそれに対応する情報の例である。
【図５】専用ペーパーにより構成される帳票の構造を示す。
【図６】電子ペン用帳票の例を示す。
【図７】分割システムの概略構成を示す。
【図８】１つのデータを特定する従来の方法を説明する図である。
【図９】１つのデータを特定する従来の方法を説明する図である。
【図１０】従来の方法により発生する混在データを説明する図である。
【図１１】混在データの構造を模式的に示す図である。
【図１２】図７に示す分割システムに含まれるサーバの機能ブロック図である。
【図１３】帳票の例である。
【図１４】分割処理のフローチャートである。
【図１５】変形例における分割処理のフローチャートである。
【符号の説明】
【００８６】
２…ネットワーク
３…電子ペン用帳票
５…サーバ
１０…電子ペン
１１…プロセッサ
１２…メモリ
１３…データ通信ユニット
１４…バッテリー
２５…端末装置
２６…問い合わせサーバ
２７…サービスサーバ
１００…分割システム
【図１】
2007188167.tif 000003
【図２】
2007188167.tif 000004
【図３】
2007188167.tif 000005
【図４】
2007188167.tif 000006
【図５】
2007188167.tif 000007
【図６】
2007188167.tif 000008
【図７】
2007188167.tif 000009
【図８】
2007188167.tif 000010
【図９】
2007188167.tif 000011
【図１０】
2007188167.tif 000012
【図１１】
2007188167.tif 000013
【図１２】
2007188167.tif 000014
【図１３】
2007188167.tif 000015
【図１４】
2007188167.tif 000016
【図１５】
2007188167.tif 000017